(57)【要約】【課題】ペレットの品質を低下させる主要因となる繊維質を効率的に除去する。【解決手段】洗浄された廃プラスチック片が投入される投入口（５２）および脱水した廃プラスチック片を放出する放出口（５４）並びに脱水により排出される汚水を排水する排水口（５６）を有する装置本体部（５０）と、周面に複数のスクリーン穴（６２）が形成された軸回転するドラム式スクリーン（６０）と、該ドラム式スクリーン内において高速で回転する複数本の撹拌ブレード（７０）と、前記ドラム式スクリーンの目詰まりを解消するためにドラム式スクリーンの下方位置に設けられた掻落手段（８０）と、ドラム式スクリーンの上方位置からドラム式スクリーンに向けてスプレー液を高圧噴射するスプレー手段（９０）と、を有し、前記ドラム式スクリーンを低速に順回転させつつ、前記撹拌ブレードを高速に逆回転させて繊維質を除去する。【選択図】図４
2015107607.tif 000002
【特許請求の範囲】
【請求項１】
汚れが付着したポリ袋や食品容器などの廃プラスチック類を破断して廃プラスチック片（Ｐ）としながら洗浄を行う破断洗浄処理に伴い発生する綿状となった紙類や糸状となったプラスチック類などからなる繊維質（Ｆ）を分離回収するための繊維質の分離回収装置（１００）であって、
洗浄された廃プラスチック片が投入される投入口（５２）および脱水した廃プラスチック片を放出する放出口（５４）並びに脱水により排出される汚水を排水する排水口（５６）を有する装置本体部（５０）と、
該装置本体部内において、一端側が前記投入口と連通し他端側が前記放出口と連通する周面に複数のスクリーン穴（６２）が形成された軸回転する円筒状のドラム式スクリーン（６０）と、
該ドラム式スクリーン内において、高速で回転駆動する回転軸（７２）の周囲に放射状に設けられ、前記ドラム式スクリーンの内周面とその先端との間の間隔（Ｄ１）が廃プラスチック片の平均的な大きさよりも若干広く設定された複数本の撹拌ブレード（７０）と、
前記ドラム式スクリーンの目詰まりを解消するためにドラム式スクリーンの下方位置に設けられドラム式スクリーンの外周面に付着した繊維質を掻き落とす掻落手段（８０）と、
前記ドラム式スクリーンの目詰まりを解消するためにドラム式スクリーンの上方位置からその回転方向にドラム式スクリーン外周面に向けてスプレー液を高圧噴射するスプレー手段（９０）と、
を有し、
前記ドラム式スクリーンを低速に順回転させつつ、前記撹拌ブレードを高速に逆回転させることで、回転ドラム式スクリーンのスクリーン穴から洗浄水および前記繊維質を排出するとともに、前記掻落手段および前記スプレー手段により前記ドラム式スクリーンに付着した繊維質を除去する、ことを特徴とする繊維質の分離回収装置。
【請求項２】
前記スプレー手段（９０）は前記ドラム式スクリーン（６０）の回転方向にその接線に対して０〜３０°の角度でドラム式スクリーン外周面に向けてスプレー液を噴射する、ことを特徴とする請求項１に記載の繊維質の分離回収装置。
【請求項３】
前記投入口（５２）から投入した廃プラスチック片（Ｐ）を洗浄するための洗浄水を廃プラスチック片に向けて散布する散布手段（１１０）が前記ドラム式スクリーン（６０）の一端側に備えられている、ことを特徴とする請求項１又は２に記載の繊維質の分離回収装置。
【請求項４】
前記回転軸（７２）の内部には給水管（７４）が内装され、該回転軸の周面に開けた噴射孔（７６）から洗浄水が供給される、ことを特徴とする請求項１又は２に記載の繊維質の分離回収装置。
【請求項５】
前記掻落手段（８０）は前記ドラム式スクリーン（６０）の外周面に接触するブラシ（８０ａ）である、ことを特徴とする請求項１、２、３又は４に記載の繊維質の分離回収装置。
【請求項６】
前記ドラム式スクリーン（６０）は分割可能に構成され、外周面には組み立て用のフランジである突条（６４）が軸方向に伸びており、
前記掻落手段（８０）は前記ドラム式スクリーンの外周面に近接又は接触する板状のスクレーパ（８０ｂ）を有しており、
該スクレーパは前記突条により押されることで回転して前記突条を乗り越え、突条とスクレーパとの干渉により前記ドラム式スクリーンの回転が妨げられることを回避する回避構造を備えている、ことを特徴とする請求項１、２、３又は４に記載の繊維質の分離回収装置。
【請求項７】
前記投入口（５２）に投入される廃プラスチック類の種類、大きさ、供給量に応じて、前記ドラム式スクリーン（６０）の内周面と前記撹拌ブレード（７０）の先端との間隔（Ｄ１）を調節するために、該撹拌ブレード先端に設けられた先端刃部（７８）の突出長さが調整可能に設けられている、ことを特徴とする請求項１乃至６のいずれかに記載の繊維質の分離回収装置。
【請求項８】
請求項１乃至７のいずれかに記載の繊維質の分離回収装置（１００）と、
汚れが付着したポリ袋や食品容器などの廃プラスチック類を破断して廃プラスチック片（Ｐ）としながら洗浄を行う破断洗浄機（１２０）と、
破断洗浄後の廃プラスチック片を貯留した水に通すことで水との比重差によって水面上に漂う純廃プラスチック片と水底に沈降する金属等の重不純物とに比重選別する比重選別機（１３０）と、
洗浄し比重選別を行った廃プラスチック片を脱水する脱水機（１４０）と、
該脱水機により脱水したプラスチック片を乾燥させる乾燥機（１５０）と、を備え、
前記分離回収装置は、前記比重選別機の前段又は後段に配置される、ことを特徴とする高品質ペレット生成システム。
【発明の詳細な説明】
【技術分野】
【０００１】
本発明は、例えば、廃棄されたプラスチック類をペレットとして再資源化する際に、ペレットの品質を低下させる主要因となる繊維質を効率的に除去することが可能な繊維質の分離回収装置および高品質ペレット生成システムに関する。
【背景技術】
【０００２】
廃棄されたポリ袋、ラップフィルム、ペットボトル、使い捨てのプラスチック容器、プラスチック製品、ゼリー・ヨーグルト・プリン等を入れていたカップ容器や、野菜・果実の生産に使用したハウス被覆材、農業用マルチ、肥料袋、サイレージ用ラップフィルム、育苗箱等などの廃プラスチック類には、紙製のラベルや、食物粕や各種調味料の汚れ、土砂、農薬などの汚れが付着していることが多い。
【０００３】
このように紙製のラベルや食物粕、各種調味料などの汚れ、土砂、農薬などの汚れが付着している廃プラスチック類については、リサイクルしたペレットの品質を高めるために、廃プラスチック類と紙類や汚れ、その他の異物を可能な限り除去・洗浄してから生成を行っている。
【０００４】
これまでも廃プラスチック類を再資源化する際に洗浄する技術が種々提案されており、例えば、特許文献１の特開２００８−８０６７９公報「廃棄プラスチック洗浄装置」には、筒状のスクリーン内に、撹拌ブレードをスクリーンの筒軸周りに回転自在に設け、その撹拌ブレードを回転させることにより、スクリーン内に投入された廃棄プラスチックに付着した異物を分離し、スクリーン外に排出する廃棄プラスチック洗浄装置において、スクリーンは、その内周面と上記撹拌ブレードの先端とのすき間が、その撹拌ブレードの回転方向に向かって大小に変化する装置が提案されている。
【０００５】
上述したように廃プラスチック類をペレットとして再資源化する際には、食物粕等の汚れや、ラベル等の紙類などを可能な限り除去して洗浄しているが、さらにその洗浄・除去の効率を向上させて不純物の混入がほとんどない高品質のペレットへの要望が高い。ここで、破断洗浄処理に伴い発生する綿状となった紙類や細く糸状に裂けてから千切れた毛細状となったプラスチック類や布などからなる繊維質が、汚れの除去を阻害する最大の要因となることが分かっている。これは繊維質が汚れや水分を保持しやすく、加えて、破断した廃プラスチック片に絡まって分離しづらいためであると考えられる。なお繊維質が洗浄処理した廃プラスチック片に残存していると、汚れが落ちにくく再資源化したペレットの品質が低下するのみならず、高温で廃プラスチック片を溶融してペレットを形成する際に、繊維質によって保持されて脱水・乾燥しきれずに残存した水分が気化してペレット内に気泡を生じさせ、ペレットの品質を低下させることにもなる。
【０００６】
そのためこれまでも廃プラスチック類から繊維等を分離する技術も種々提案されており、例えば、特許文献２の特開平５−５９６８１号公報「製紙用分離装置」には、製紙用原料入口から導入される原料を有用繊維分と異物分とに分離するためのスクリーンを密閉ケーシング内に設けて、室内を前処理室と後処理室とに区画形成し、前処理室に前記スクリーンに近接して回転自在に設けたインペラと、分離した異物の排出路とを配備すると共に、後処理室にハイドロフォイルロータを附設したスクリーンバスケットと、該スクリーンバスケットで仕切られる精選室と、制御弁のある排出路にそれぞれ連通された精選原料出口と、リジェクト排出口とを備えた装置において、異物排出路とリジェクト排出路とを連通する粕処理室を有し、粕処理室内にスクリーンと、スクリーンに沿って回転する離解用攪拌翼とスクリーンで区画される回収室と、洗浄水供給路と粕排出路とを備えた製紙用分離装置が提案されている。
【先行技術文献】
【特許文献】
【０００７】
【特許文献１】特開２００８−８０６７９公報
【特許文献２】特開平５−５９６８１号公報
【発明の概要】
【発明が解決しようとする課題】
【０００８】
しかしながら、特許文献１の「廃棄プラスチック洗浄装置」は、特に繊維質の分離除去を意識したものではなく、また、特許文献２の「製紙用分離装置」は、筒状のスクリーン内に、撹拌ブレードをスクリーンの筒軸周りに回転自在に設け、その撹拌ブレードを回転させることにより、スクリーン内に投入された、廃棄プラスチックに付着した異物を分離するように構成されているが、処理作業が進むに従い、このスクリーンに繊維類が目詰まりし、一旦目詰まりすると繊維類の分離効率が極端に低下しやすいという問題を有していた。
【０００９】
このようにスクリーンに繊維等が目詰まりすると、撹拌ブレードを停止させ、このスクリーンに詰まった繊維等をブラシ等で除去する必要があるが、目詰まりの度に、円筒状のスクリーンの全周囲を、ブラシを用いて目詰まりを除去する作業は大変煩雑な作業になるという問題を有していた。
【００１０】
本発明は、かかる問題点を解決するために創案されたものである。すなわち、本発明の目的は、破断洗浄処理に伴い発生する綿状となった紙類や糸状となった廃プラスチック類などからなる繊維質を効率的に分離回収すべく、破断洗浄した廃プラスチック片を高速に回転する攪拌ブレードにより纏まった状態からできるだけ各片にばらしつつ開げ、また、高速に回転する攪拌ブレードにより発生する正圧と遠心力によって廃プラスチック片の脱水をするとともに繊維類の除去を行い、また、ドラム式スクリーンが目詰まりすることで脱水および繊維類の除去の効率が低下することを防ぐべく常時繊維質の除去を行うことができる繊維質の分離回収装置および高品質ペレット生成システムを提供することにある。
【課題を解決するための手段】
【００１１】
上記課題を解決するため本発明は、
汚れが付着したポリ袋や食品容器などの廃プラスチック類を破断して廃プラスチック片（Ｐ）としながら洗浄を行う破断洗浄処理に伴い発生する綿状となった紙類や糸状となったプラスチック類などからなる繊維質（Ｆ）を分離回収するための繊維質の分離回収装置（１００）であって、
洗浄された廃プラスチック片が投入される投入口（５２）および脱水した廃プラスチック片を放出する放出口（５４）並びに脱水により排出される汚水を排水する排水口（５６）を有する装置本体部（５０）と、
該装置本体部内において、一端側が前記投入口と連通し他端側が前記放出口と連通する周面に複数のスクリーン穴（６２）が形成された軸回転する円筒状のドラム式スクリーン（６０）と、
該ドラム式スクリーン内において、高速で回転駆動する回転軸（７２）の周囲に放射状に設けられ、前記ドラム式スクリーンの内周面とその先端との間の間隔（Ｄ１）が廃プラスチック片の平均的な大きさよりも若干広く設定された複数本の撹拌ブレード（７０）と、
前記ドラム式スクリーンの目詰まりを解消するためにドラム式スクリーンの下方位置に設けられドラム式スクリーンの外周面に付着した繊維質を掻き落とす掻落手段（８０）と、
前記ドラム式スクリーンの目詰まりを解消するためにドラム式スクリーンの上方位置からその回転方向にドラム式スクリーン外周面に向けてスプレー液を高圧噴射するスプレー手段（９０）と、
を有し、
前記ドラム式スクリーンを低速に順回転させつつ、前記撹拌ブレードを高速に逆回転させることで、回転ドラム式スクリーンのスクリーン穴から洗浄水および前記繊維質を排出するとともに、前記掻落手段および前記スプレー手段により前記ドラム式スクリーンに付着した繊維質を除去する、ことを特徴とする繊維質の分離回収装置を提供する。
【００１２】
ここで、前記スプレー手段（９０）は前記ドラム式スクリーン（６０）の回転方向にその接線に対して０〜３０°の角度でドラム式スクリーン外周面に向けてスプレー液を噴射する、ことが好ましい。
【００１３】
さらに、前記投入口（５２）から投入した廃プラスチック片（Ｐ）を洗浄するための洗浄水を廃プラスチック片に向けて散布する散布手段（１１０）が前記ドラム式スクリーン（６０）の一端側に備えられている、ようにしてやることも好ましい。
【００１４】
または、前記回転軸（７２）の内部には給水管（７４）が内装され、該回転軸の周面に開けた噴射孔（７６）から洗浄水が供給される、ようにしてやることも好ましい。
【００１５】
ここで、前記掻落手段（８０）は前記ドラム式スクリーン（６０）の外周面に接触するブラシ（８０ａ）である、ものとする。
【００１６】
もしくは、前記ドラム式スクリーン（６０）は分割可能に構成され、外周面には組み立て用のフランジである突条（６４）が軸方向に伸びており、
前記掻落手段（８０）は前記ドラム式スクリーンの外周面に近接又は接触する板状のスクレーパ（８０ｂ）を有しており、
該スクレーパは前記突条により押されることで回転して前記突条を乗り越え、突条とスクレーパとの干渉により前記ドラム式スクリーンの回転が妨げられることを回避する回避構造を備えている、ものとする。
【００１７】
さらに、  前記投入口（５２）に投入される廃プラスチック類の種類、大きさ、供給量に応じて、前記ドラム式スクリーン（６０）の内周面と前記撹拌ブレード（７０）の先端との間隔（Ｄ１）を調節するために、該撹拌ブレード先端に設けられた先端刃部（７８）の突出長さが調整可能に設けられている、ようにしてやってもよい。
【００１８】
また本発明は、請求項１乃至７のいずれかに記載の繊維質の分離回収装置（１００）と、
汚れが付着したポリ袋や食品容器などの廃プラスチック類を破断して廃プラスチック片（Ｐ）としながら洗浄を行う破断洗浄機（１２０）と、
破断洗浄後の廃プラスチック片を貯留した水に通すことで水との比重差によって水面上に漂う純廃プラスチック片と水底に沈降する金属等の重不純物とに比重選別する比重選別機（１３０）と、
洗浄し比重選別を行った廃プラスチック片を脱水する脱水機（１４０）と、
該脱水機により脱水したプラスチック片を乾燥させる乾燥機（１５０）と、を備え、
前記分離回収装置は、前記比重選別機の前段又は後段に配置される、ことを特徴とする高品質ペレット生成システムを提供する。
【発明の効果】
【００１９】
本発明によれば、破断洗浄した廃プラスチック片を各片にばらしつつ広げて脱水（洗浄）することで汚れや繊維質を効率的に除去するとともに、ドラム式スクリーンの目詰まりを防止して、脱水および繊維類の除去の効率が低下することを防ぎ、これによりペレットの品質を向上させることができる。
【図面の簡単な説明】
【００２０】
【図１】実施例１の繊維質の分離回収装置の正面図である。
【図２】実施例１の繊維質の分離回収装置の平面図である。
【図３】実施例１の繊維質の分離回収装置の左側面図（ａ）および右側面図（ｂ）である。
【図４】実施例１の繊維質の分離回収装置の内部構造を説明するための透視図である。
【図５】図４のＸ−Ｘ断面矢視図である。
【図６】筐体内部のドラム式スクリーンや撹拌ブレード等の様子を示した正面図である。
【図７】ドラム式スクリーンや撹拌ブレード等の様子を示した部分側面図である。
【図８】実施例２の繊維質の分離回収装置の筐体内部のドラム式スクリーンや撹拌ブレード等の様子を示した正面図である。
【図９】実施例２の繊維質の分離回収装置の径方向部分断面図である。
【図１０】本発明の高品質ペレット生成システムの構成を示した図である。
【図１１】基本例１の繊維質の分離回収装置の部分側断面図である。
【図１２】基本例１の繊維質の分離回収装置を示す部分平面図である。
【図１３】基本例２の切断洗浄装置に汚れの分離機能を組み合わせた装置を示す説明正断面図である。
【図１４】基本例２の切断洗浄装置の側断面図である。
【図１５】基本例２の撹拌ブレードの部分拡大図である。
【図１６】基本例２の切断洗浄装置の平面図である。
【図１７】スクレーパを示し、（ａ）は拡大平面図、（ｂ）は拡大側面図である。
【図１８】スクレーパの変形例を示す拡大側面図である。
【図１９】洗浄水供給装置の変形例を示す説明正断面図である。
【発明を実施するための形態】
【００２１】
本発明は廃プラスチック類をペレットとして再資源化する際に、予め汚れが付着したポリ袋や食品容器などの廃プラスチック類を破断して廃プラスチック片としながら洗浄を行う破断洗浄処理に伴い発生する綿状となった紙類や糸状となったプラスチック類などからなる数ミリメートル程度の長さの繊維質が洗浄効率等を妨げペレットの品質を低下させる大きな要因になっていることに着目し、その繊維質の分離除去を効率的に行うべく発案されたものである。
【００２２】
すなわち本発明の繊維質の分離回収装置は、装置本体部内において、複数のスクリーン穴が形成されたドラム式スクリーンを正転させるとともに、ドラム式スクリーン内において撹拌ブレードを逆回転させることで汚れや繊維質をスクリーン穴から排出すると同時に、スクリーン穴に絡みついた繊維質を掻落手段およびスプレー手段により効率的に除去することでドラム式スクリーンの目詰まりをなくし、これにより繊維質の分離回収効率を高めることを可能としたものである。
【実施例１】
【００２３】
［分離回収装置の構成］
以下、本発明の好ましい実施の形態を図面を参照して説明する。
図１は実施例１の繊維質の分離回収装置の正面図、図２は平面図、図３は左側面図（ａ）および右側面図（ｂ）であり、一部は透視して示してある。図４は装置の内部構造を説明するための透視図、図５は図４のＸ−Ｘ断面矢視図である。図６は筐体内部のドラム式スクリーンや撹拌ブレード等の様子を示した正面図、図７はその部分側面図である。
【００２４】
実施例１の繊維質の分離回収装置１００は、主に、装置の外形を形成する箱型の装置本体部５０と、この装置本体部５０内で軸回転する円筒状のドラム式スクリーン６０と、ドラム式スクリーン６０内において回転駆動される撹拌ブレード７０などから構成されている。そして装置本体部５０内にはドラム式スクリーン６０の目詰まりを解消するために掻落手段８０とスプレー手段９０とが備えられている。
【００２５】
［装置本体部］
装置本体部５０は、装置の外形を形成する長さが３ｍ程度で縦横の各辺が１１０ｃｍ程度の横長の略直方体形状を有する筺体５１に、その一端側（図１では右側）上部に予め各辺が３ｃｍ程度となるように切断された洗浄処理後の廃プラスチック片Ｐが投入される投入口５２が、また、他端側（図１では左側）下部に脱水した廃プラスチック片Ｐ’を放出する放出口５４が形成され、さらに、筺体５１の下部中央には脱水により排出される汚水および脱水した廃プラスチック片Ｐから分離除去された繊維質Ｆを排出するための排水口５６が形成されたものである。この筺体５１は内部のメンテナンスを行うことが可能なようにその天板および側板を分解して取り外すことができるようになっており、また側板には装置本体部５０の内部の様子を目視するための開閉式ののぞき窓５３が設けられている。そしてこの筺体５１は９０ｃｍほどの高さの台座５５に載置されている。
加えて、筺体５１の他端側上部には後述するドラム式スクリーン６０を回転駆動させるスクリーン駆動用モータ５７が、筺体５１の他端側側部の台座５５上には撹拌ブレード７０の回転軸７２を回転駆動させるブレード駆動用モータ５９が配置されている。
【００２６】
［ドラム式スクリーン］
ドラム式スクリーン６０は、装置本体部５０内において、その一端（図３では右側）が投入口５２と連通し他端（図３では左側）が放出口５４と連通し、かつ、周面に複数のスクリーン穴６２が形成された軸回転する直径が８０ｃｍ程度、長さが２．５ｍ程度の円筒である（図４参照）。このドラム式スクリーン６０はそのメンテナンス等のために軸方向に２分割可能に構成されており、半筒の淵には組み立て用のフランジである１ｃｍ程度の高さの突条６４が軸方向に伸びている。すなわち半筒を突条６４同士を向かい合わせてボルト・ナットを用いて組み合わせることで、円筒状のドラム式スクリーン６０が構成されている（図５参照）。
【００２７】
スクリーン穴６２はパンチング加工により形成された直径が３ｍｍ程度の丸穴であり、ドラム式スクリーン６０にはスクリーン穴６２が矩形状に密集して形成された箇所と、スクリーン穴６２が形成されていない箇所とが交互に現れるようになっている。これは廃プラスチック片Ｐの脱水と洗浄とを交互に行うためおよびスクリーン穴６２に絡みついた繊維質Ｆ等の除去をより効率的に行うためである。
【００２８】
ドラム式スクリーン６０は装置本体部５０の他端側の上部に設けられた小出力のスクリーン駆動用モータ５７からの動力がチェーンによって伝達されることで、毎分５回転程度で正転（図５では時計回り）するようになっている。投入口５２から投入された廃プラスチック片Ｐに付着した繊維質Ｆは脱水された汚水とともにスクリーン穴６２から排出され、また、ドラム式スクリーン６０が回転することで、スクリーン内面に付着した廃プラスチック片Ｐが上側位置にきた際に重力の作用により落下するため、次に説明する撹拌ブレード７０による攪拌も十分に行わせることができる。
【００２９】
［撹拌ブレード］
撹拌ブレード７０は、ドラム式スクリーン６０内において回転駆動される回転軸７２の周囲に放射状に４枚が伸びたものが、軸方向に等間隔で９列並んで取り付けられている。撹拌ブレード７０は、装置本体部５０の他端側側部の台座５５上に配置された大出力のブレード駆動用モータ５９からの動力がベルトドライブによって回転軸７２に伝達されることで、毎分１０００〜１５００回転程度で逆転（図５では反時計回り）するようになっている。そのため投入口５２からドラム式スクリーン６０内に投入された廃プラスチック片Ｐが高速で回転する撹拌ブレード７０によって叩かれることによる衝撃によって、付着した繊維質Ｆの分離や脱水が行われる。すなわち廃プラスチック片Ｐが撹拌ブレード７０によって叩かれることで、纏まった状態から各片にばらけつつ開げられ、また、高速に回転する攪拌ブレードにより発生する正圧や遠心力によって、廃プラスチック片Ｐが脱水されるとともに繊維類の除去が行われる。
【００３０】
図５乃至図７に示すように、撹拌ブレード７０の先端には着脱式の金属板である先端部７８が取り付けられている。この先端部７８は撹拌ブレード７０の伸長方向の長辺が、回転軸７２の長手方向に対して所定の角度に傾斜させて取り付けられているので、廃プラスチック片Ｐは隣接する下流側の撹拌ブレード７０の列に自然に流下することになる。図示例では、廃プラスチック片Ｐは右から左方向へ移動する。
【００３１】
各撹拌ブレード７０は、図７の拡大図に示すように、その先端に設けられた先端部７８の突出長さが調整可能に設けられている。例えば、撹拌ブレード７０に開けた長孔に先端部７８をボルト止めする。これにより、処理する廃プラスチック片Ｐの種類、大きさ、供給量に応じて、ドラム式スクリーン６０の内周面と撹拌ブレード７０の先端（先端部７８）と隙間の間隔Ｄ１を調節することができる。この間隔Ｄ１を投入される廃プラスチック片Ｐの平均的な大きさよりも若干広く設定してやることで、廃プラスチック片Ｐが撹拌ブレード７０によって効率的に叩き、また、この隙間に廃プラスチック片Ｐを分散・旋回させることで、廃プラスチック片Ｐを纏まった状態から各片にばらけつつ開げるとともに、絡まった繊維質Ｆと分離してその脱水も効率的に行うことができる。なおこの先端部７８は、摩耗したときは容易に交換することができる。
【００３２】
［掻落手段］
掻落手段８０は、ドラム式スクリーン６０の外周面に付着した繊維質Ｆを除去することでその目詰まりを解消するために、筺体５１の内部に設けられ、ドラム式スクリーン６０の下方位置に設けられたブラシ８０ａである。このブラシ８０ａはドラム式スクリーン６０の下方位置においてドラム式スクリーン６０の外周面に接触するようにドラム式スクリーン６０の軸方向に同じ長さで伸長し、その毛足は３ｃｍ程度となっている。なおドラム式スクリーン６０の外周面にはその軸方向に突条６４が突起しているが（図５参照）、ブラシ８０ａはある程度の柔軟性を有しているため、ドラム式スクリーン６０の回転がこの掻落手段８０であるブラシ８０ａによって妨げられることはない。
【００３３】
［スプレー手段］
スプレー手段９０は、ドラム式スクリーン６０の外周面に付着した繊維質Ｆを除去することでその目詰まりを解消するために、筺体５１の内部に設けられ、ドラム式スクリーン６０の上方位置からその回転方向にドラム式スクリーン６０外周面に向けてスプレー液を噴射する噴射ノズル９０ａである（図５参照）。この噴射ノズル９０ａは筺体５１の上隅から下方に向けて、ドラム式スクリーン６０の接線に対して０〜３０°の噴射角度（β）となるように設定されている。そのため噴射ノズル９０ａからはスプレー液がドラム式スクリーン６０に付着した繊維質Ｆをその勢いによって剥がすように噴射され、掻落手段８０によって除去しきれなかったドラム式スクリーン６０の外周面に付着した繊維質Ｆを洗い流し、また、掻落手段８０による繊維質Ｆの除去を容易化する。なおこのスプレー液は外部から図示しない配管を通じて供給される通常の水であるが、必要に応じて洗剤を加えてやったものを用いてやってもよい。
【００３４】
［散布手段］
散布手段１１０は、予め破断して洗浄した廃プラスチック片Ｐをさらに洗浄するために、筺体５１の内部でドラム式スクリーン６０の一端側（投入口５２側）で廃プラスチック片Ｐに向けてドラム式スクリーン６０の軸方向に洗浄水を散布する散水ノズル１１０ａである（図６参照）。なおこの洗浄水は外部から図示しない配管を通じて供給される通常の水であるが、必要に応じて洗剤を加えてやったものを用いてやってもよい。
なお予め破断して洗浄した廃プラスチック片Ｐが十分に洗浄されている場合にはこの散布手段１１０を省略してやってもよい。
【００３５】
次に本実施例の繊維質の分離回収装置１００の動作を説明する。
装置本体部５０の投入口５２から投入された予め破断して洗浄した廃プラスチック片Ｐは、散布手段１１０である散水ノズル１１０ａから洗浄水が散布されながらドラム式スクリーン６０内に流れ込み、高速で回転（逆転）する撹拌ブレード７０の主に先端部７８に叩きつけられることによって纏まった状態から各片にばらけて開げられながらドラム式スクリーン６０内を旋回し、その遠心力や衝撃によって洗浄・脱水されるとともに繊維質Ｆなどが分離される。分離された繊維質Ｆの多くは攪拌ブレードにより発生する正圧や遠心力により、ドラム式スクリーン６０のスクリーン穴６２から汚水とともに排出され除去される。この汚水および繊維質Ｆは装置本体部５０の下部の排水口５６から外部の図示しないバケットに回収される。なおこのバケットには水切りのためのメッシュが取り付けられており、固形成分である繊維質Ｆはこのメッシュに捕捉される。
【００３６】
ここで繊維質Ｆの一部はドラム式スクリーン６０のスクリーン穴６２に絡みつきドラム式スクリーン６０を目詰まりさせるため、掻落手段８０であるブラシ８０ａによってこれを掻き落とすとともに、スプレー手段９０である噴射ノズル９０ａから噴射したスプレー液によってこれを洗い流してやる。このようにして除去された繊維質Ｆやスプレー液も筺体５１下部の排水口５６から排出され外部のバケットに回収される。
【００３７】
一方、廃プラスチック片Ｐは、洗浄・脱水されながら撹拌ブレード７０の傾斜した先端部７８により下流側（放出口５４側）に旋回しながら流下し、洗浄・脱水後の廃プラスチック片Ｐ’が放出口５４から放出される。ここで廃プラスチック片Ｐの一部はドラム式スクリーン６０と撹拌ブレード７０の先端部７８との間の隙間に停滞することがあるが、ドラム式スクリーン６０が低速で回転（正転）しており、上方位置にきた際に重力により落下するため問題はない。
【００３８】
このように本実施例の繊維質の分離回収装置１００によれば、汚れが付着したポリ袋や食品容器などの廃プラスチック類を予め破断して廃プラスチック片Ｐとしながら洗浄する破断洗浄処理に伴い発生する綿状となった紙類や糸状となった廃プラスチック類などからなる繊維質Ｆを、高速に回転する攪拌ブレードにより纏まった状態からできるだけ各片にばらしつつ開げ、また、高速に回転する攪拌ブレードにより発生する正圧と遠心力によって廃プラスチック片Ｐの洗浄脱水をするとともに繊維質Ｆを分離し、これと同時に、ドラム式スクリーン６０が目詰まりを除去しつつ運転することで、脱水および繊維質Ｆの除去の効率が低下することを防ぐことができる。特に繊維質Ｆの除去が十分に行われることで、洗浄・脱水の効率が向上し、汚れの残存、特に塩分に起因する塩素成分の混入比率を低下させ、またこれまで生成したペレットにあった独特の異臭も軽減させることができ、さらにペレット生成時においてペレット内への気泡の発生を抑えることができるため、生成したペレットの品質を高めることができる。なお洗浄・脱水の効率が向上することで、ペレット生成システムの運転コストも大幅に低減することができることはもちろんである。
【実施例２】
【００３９】
図８は実施例２の繊維質の分離回収装置の筐体内部のドラム式スクリーンや撹拌ブレード等の様子を示した正面図、図９はその部分側面図である。なお、実施例１と同様な構成については同じ符号を付することで重複する説明は省略する。
【００４０】
本実施例の繊維質の分離回収装置１００は、実施例１の装置では散布手段１１０が筺体５１の内部でドラム式スクリーン６０の一端側（投入口５２側）で廃プラスチック片Ｐに向けてドラム式スクリーン６０の軸方向に洗浄水を散布する散水ノズル１１０ａであったところ、これを撹拌ブレード７０の回転軸７２から洗浄水を散布するようにした点、および、実施例１の装置では掻落手段８０が筺体５１の内部のドラム式スクリーン６０の下方位置においてその外周面に接触するブラシ８０ａであったところ、これを外周面に近接又は接触する板状のスクレーパ８０ｂとした点が相違している。
【００４１】
［散布手段］
散布手段１１０は、予め破断して洗浄した廃プラスチック片Ｐをさらに洗浄するために、撹拌ブレード７０の回転軸７２に内装された給水管７４から供給された洗浄水が噴出される回転軸７２の周面に開けた噴射孔７６である。そしてこの噴射孔７６から噴出される洗浄水の水量はドラム式スクリーン６０の上流側が多く下流側が少なくなるように調整される。これは廃プラスチック片Ｐは上流から下流に向かうに従いその洗浄が進むこと、および、下流側で多くの洗浄水を噴出すると脱水が不十分となる可能性があること等の理由によるものである。
【００４２】
［掻落手段］
掻落手段８０は、ドラム式スクリーン６０の外周面に付着した繊維質Ｆを除去することでその目詰まりを解消するために、筺体５１の内部に設けられ、ドラム式スクリーン６０の下方位置においてドラム式スクリーン６０の外周面にわずかに接触するようにドラム式スクリーン６０の軸方向に同じ長さで伸長する４枚の矩形板を十字にしたスクレーパ８０ｂである。このスクレーパ８０ｂはドラム式スクリーン６０の軸と並行する円柱状の軸芯８１周りに回転し、各矩形板の長辺により繊維質Ｆの掻き落としを行う。このスクレーパ８０ｂは９０°回転すると一時的にロックされるように、例えばその軸芯８１および軸受けにボールロック構造を備えている。すなわち、軸芯８１にはスプリングにより径方向に付勢されその一部を露出する球体が内蔵され、軸受けには球体の露出部分が嵌る凹部が９０°おきに４箇所形成されている。この回転するスクレーパ８０ｂおよびボールロック構造が回避構造を構成する。
【００４３】
スクレーパ８０ｂはドラム式スクリーン６０の外周面を擦るようにして付着した繊維質Ｆを掻き落とし、ドラム式スクリーン６０の外周面の突条６４と当接することで押され９０°回転して突条６４を乗り越える。９０°回転するとスクレーパ８０ｂは隣側の矩形板の長辺で繊維質Ｆの掻き落としを行う。そのため、突条６４とスクレーパ８０ｂとの干渉によりドラム式スクリーン６０の回転が妨げられることが回避される。
【００４４】
掻落手段８０であるスクレーパ８０ｂによりドラム式スクリーン６０の外周面に付着した繊維質Ｆを掻き落とした後には、実施例１と同様の構成によるスプレー手段９０によりスプレー液を高圧噴射することで、さらにドラム式スクリーン６０の外周面をきれいにしてやることが好ましいが、スクレーパ８０ｂにより十分に繊維質Ｆの掻き落としが達成される場合には、スプレー手段９０を省略してやることもできる。なおスプレー手段９０から噴射したスプレー液により脱水した廃プラスチック片Ｐが再び水分を含むことを回避するために、スプレー手段９０からスプレー液の代わりに圧縮空気を噴射することで繊維質Ｆを除去してやってもよい。その場合、圧縮空気の噴出の噴射を間欠的にすることで、その衝撃によりより効率的に繊維質Ｆを除去してやることが可能となる。
【００４５】
このように本実施例の繊維質の分離回収装置１００によれば、散布手段１１０である回転軸７２の噴射孔７６から洗浄水を適当な水量で噴出することで、廃プラスチック片Ｐの洗浄や繊維質Ｆの分離・除去をより効率的の行うことができる。また掻落手段８０であるスクレーパ８０ｂによって、ドラム式スクリーン６０の回転を阻害することなく、強力に繊維質Ｆを掻き落としてやることができる。
【実施例３】
【００４６】
本実施例は実施例１または実施例２で説明した繊維質の分離回収装置を用いて高品質のペレットを生成するためのシステムである。図１０に本発明の高品質ペレット生成システムの構成を示した。
【００４７】
従来のペレット生成システムでは、破断洗浄機１２０で汚れが付着したポリ袋や食品容器などの廃プラスチック類を破断して廃プラスチック片Ｐとしながら洗浄を行い、比重選別機１３０で破断洗浄後の廃プラスチック片Ｐを貯留した水に通すことで水との比重差によって水面上に漂う純廃プラスチック片Ｐと水底に沈降する金属等の重不純物とに比重選別し、脱水機１４０で洗浄し比重選別を行った廃プラスチック片Ｐを脱水し、乾燥機１５０で脱水機１４０により脱水したプラスチック片を乾燥させ、フレコン回収装置１６０で乾燥機１５０により乾燥した廃プラスチック片Ｐを回収している。そして回収した廃プラスチック片Ｐを、図示しないペレタイザーで処理することでペレット状に加工している。
【００４８】
ペレタイザーでは２００〜３００℃程度の高温で廃プラスチック片Ｐを溶融させた後にフィルターを通過させることで残存した異物を除去しているが、これまではこのフィルターが頻繁に目詰まりしていたためその目詰まりを解消するためのフィルターの清掃や交換が煩雑であったところ、本実施例の高品質ペレット生成システムは、上記従来のシステムの比重選別機１３０の前段（ポジション１）又は後段（ポジション２）に上述した繊維質の分離回収装置１００を配置することでペレタイザーに投入するために破断・洗浄した廃プラスチック片Ｐから繊維質を効率的に除去可能としたものである。
【００４９】
なお、繊維質の分離回収装置１００を破断洗浄機１２０と比重選別機１３０との間に配置した場合（ポジション１）には、洗浄および比重選別性能の効率アップ（異物混入の減少）により生成したペレットの品質を向上させ、繊維質の分離回収装置１００を比重選別機１３０と脱水機１４０との間に配置した場合（ポジション２）には、洗浄および脱水効率のアップ（水分残存の減少）により生成したペレットの品質を向上させることができる。
【００５０】
なお本発明は、破断・洗浄した廃プラスチック片から繊維質を効率良く除去することができれば、上述した発明の実施の形態に限定されず、本発明の要旨を逸脱しない範囲で種々変更できることは勿論である。
【００５１】
（付記）
上述した本発明は、以下に示す基本発明の各手段を昇華させてその発明概念を抽出したものである。そのため、本発明は以下に示す基本発明の発明概念の全部又は一部と組み合わせた変形例としてやることもできる。
以下、基本発明の各手段につき、必要に応じて作用効果等を付記しつつ図面も併用して説明する。
【００５２】
本基本発明は、残滓類が付着した廃プラスチック類が投入される供給口（７）と、該供給口（７）に連続する開口部を一部に有する円筒部（６）と、前記円筒部（６）内において、回転駆動される回転軸（４）の周囲に放射状に設けられた複数本の撹拌ブレード（２）と、前記円筒部（６）の周壁に、前記回転軸（４）へ刃先部（８）を向けて取り付けられた細断用カッタ（９）と、廃プラスチック類を洗浄するために水を散布する洗浄水供給装置の噴射口（３）と、を備え、前記撹拌ブレード（２）と前記細断用カッタ（９）により、廃プラスチック類を切断すると共に洗浄するように構成した、ことを特徴とする。
【００５３】
例えば、廃プラスチック類を細かく切断して洗浄する廃プラスチック類の切断洗浄装置であって、残滓類が付着した廃プラスチック類が投入される供給口（７）と、処理後の廃プラスチック類が排出されるプラスチック用排出口（１２）と残滓類が分離排出される残滓用排出口（２５）とが設けられた装置本体（１）と、前記装置本体（１）内において、回転駆動される回転軸（４）の周囲に放射状に設けられた複数本の撹拌ブレード（２）と、前記装置本体（１）内に設けられた、前記供給口（７）に連続する開口部を一部に有する円筒部（６）と、前記円筒部（６）の周壁に、前記回転軸（４）へ刃先部（８）を向けて取り付けられた細断用カッタ（９）と、廃プラスチック類を洗浄するために水を散布する洗浄水供給装置の噴射口（３）と、を備え、前記撹拌ブレード（２）と前記細断用カッタ（９）とにより、廃プラスチック類を切断すると共に洗浄するように構成することができる。
【００５４】
前記供給口（７）に投入される廃プラスチック類、残滓類の種類、大きさ、供給量に応じて、円筒部（６）の周壁に取り付けられる細断用カッタ（９）の刃先部（８）の突出量を調節する調節ネジ（１０）を設け、前記撹拌ブレード（２）の先端刃部（１１）との間隔を調節し得るように構成する、ことが好ましい。
【００５５】
前記装置本体（１）内で回転駆動される、複数の排出孔（１３）を開けた円筒形状の回転スクリーン（５）と、前記回転スクリーン（５）内において回転駆動される前記回転軸（４）の周囲に放射状に設けられた複数本の撹拌ブレード（２）を、更に備え、回転する前記回転スクリーン（５）内において、前記撹拌ブレード（２）を該回転スクリーン（５）の回転方向とは逆向きに回転させることにより、切断された廃プラスチック類から残滓類とを分離し、この廃プラスチック類は該回転スクリーン（５）の側方へ排出し、この残滓類は該回転スクリーン（５）の排出孔（１３）から排出するように構成することができる。
前記供給口（７）に投入される廃プラスチック類、残滓類の種類、大きさ、供給量に応じて、該回転スクリーン（５）の内壁面と前記撹拌ブレード（２）の先端との間隔（Ｄ１）を調節するために、該撹拌ブレード（２）先端に設けられた先端刃部（１１）の突出長さが調整可能に設ける、ことが好ましい。
【００５６】
前記洗浄水供給装置は、前記回転軸（４）の内部に給水管（２３）を内装し、該回転軸（４）の周面に開けた噴射孔（２４）から洗浄水を供給し得るように構成することができる。
【００５７】
本基本発明の構成では、供給口（７）に投入された廃プラスチック類について、細断用カッタ（９）と撹拌ブレード（２）とにより、細かく切断してから洗浄するので、洗浄効率の向上を図ることができる。
供給口（７）に投入される廃プラスチック類、残滓類の種類、大きさ、供給量に応じて、この撹拌ブレード（２）の先端と細断用カッタ（９）との間隔を調節することができる。
【００５８】
切断洗浄装置に回転スクリーン（５）を備えた構成では、切断洗浄装置の回転スクリーン（５）内において撹拌ブレード（２）を回転させ、この回転スクリーン（５）内に投入された、残滓類が付着している廃プラスチック類から残滓類を分離できる。この切断洗浄装置は回転スクリーン（５）は撹拌ブレード（２）の回転向きと逆に回転させているので、廃プラスチック類に絡みついた残滓類を容易に分離することができる。洗浄水供給装置の噴射口（３）から水が散布され、残滓類も除去され廃プラスチック類が洗浄される。特に、廃プラスチック類は撹拌ブレード（２）と細断用カッタ（９）により細かく切断されているので、洗浄処理が不十分になることを防止することができる。
また、細断用カッタ（９）と撹拌ブレード（２）とにより、シート状の廃プラスチック類の場合は、細かく切断してから洗浄し、残滓類と分離できる。シート状の廃プラスチック類が撹拌ブレード（２）や回転軸（４）に絡み付きづらくなり、従来のように切断洗浄装置の処理効率の向上を図ることができる。
【００５９】
回転スクリーン（５）の外周面に配置したスクレーパ（１８）は、排出孔（１３）の目詰まりを除去することができる。例えば、回転スクリーン（５）の回転遠心力だけでは、弾き飛ばせない残滓類を排出孔（１３）から確実に掻きだすことができる。回転スクリーン（５）の分離機能の低下を防止できる。
【００６０】
回転軸（４）の内部に給水管（２３）を内装し、回転軸（４）の周面に開けた噴射孔（２４）から洗浄水を供給し得るように構成した洗浄水供給装置では、洗浄水を廃プラスチック類、残滓類に強く散布することができ、洗浄作用と共に分離作用も高めることができる。
【００６１】
回転軸（４）にインペラ（１７）を設けたものでは、その装置本体（１）におけるプラスチック用排出口（１２）側において、処理後の廃プラスチック類を容易に排出することができる。バキュームすることなく廃プラスチック類を排出できる。
装置本体（１）の上部に設けられたプラスチック用排出口（１２）に、切断された廃プラスチック類を吸引排出するエアダクトが連結することができる。
【００６２】
［基本発明の実施形態］
本基本発明の廃プラスチック類の切断洗浄装置は、円筒部内において、回転駆動される回転軸の周囲に放射状に設けられた複数本の撹拌ブレードと、この円筒部の周壁に、回転軸へ刃先部を向けて取り付けられた細断用カッタとを備え、撹拌ブレードと細断用カッタにより、投入された廃プラスチック類を細かく切断して洗浄する装置である。
【基本例１】
【００６３】
［切断洗浄装置の構成］
以下、本基本発明の好ましい実施の形態を図面を参照して説明する。
図１１は基本例１の廃プラスチック類の切断洗浄装置の部分側断面図である。図１２２は基本例１の廃プラスチック類の切断洗浄装置を示す部分平面図である。
基本例１の廃プラスチック類の切断洗浄装置は、装置本体１と、この装置本体１内で回転する撹拌ブレード２と、廃プラスチック類に洗浄水を散布する洗浄水供給装置の噴射口３とを備えた装置である。撹拌ブレード２は装置本体１において回転軸４に取り付けられている。装置本体１は、例えば略直方体形状を有する筺体であり、切断洗浄処理後の廃プラスチック類、土砂、残滓類、洗浄水の飛散を防止する側板と天板とから成る。また、撹拌ブレード２の回転軸４と後述する回転スクリーン５をそれぞれ回転駆動させるモータ等の駆動源を装置する。
【００６４】
［細断用カッタ］
装置本体１には、一部に開口部を有する円筒部６を形成し、この円筒部６の開口部に、廃プラスチック類を投入する供給口７が連続して形成されている。この円筒部６の周壁において、回転軸４へ刃先部８を向けて細断用カッタ９が数箇所に取り付けられている。なお、図示例では円筒部６の周壁に３枚の細断用カッタ９を取り付けた状態を示しているが、この取付け数に限定されない。また、個々の細断用カッタ９の形状も図示したものに限定されない。更に、洗浄水供給装置の噴射口３を円筒部６の周壁に設けた例を示しているが、供給口７又はこれら以外の場所に設けることも可能である。
【００６５】
［細断用カッタの調節ネジ］
この細断用カッタ９には、この刃先部８の突出量を調節する調節ネジ１０が設けられている。各細断用カッタ９の刃先部８と、回転する撹拌ブレード２の先端刃部１１との間で間隔を調節して、ペットボトル、プラスチック容器、シート状のプラスチック類の大きさを可変して切断することができる。
【００６６】
［撹拌ブレード］
撹拌ブレード２は、装置本体１内において回転駆動される回転軸４に、その周囲に放射状に取り付けられたものである。撹拌ブレード２は、円筒部６内において回転させ、この円筒部６内に投入された廃プラスチック類を細かく切断する機能を有する。回転する撹拌ブレード２の先端刃部１１と、各細断用カッタ９の刃先部８との間で、ペットボトル、プラスチック容器を細かく切断する。更には、ビニルシートのような広い面積を有するシート状のプラスチック類を細かく切断する。広い面積を有するシート状のプラスチック類は、撹拌ブレード２や回転軸４に絡み付きやすいからである。
【００６７】
撹拌ブレード２は、図１２に示すように、撹拌ブレード２の先端刃部１１の長辺が、回転軸４の長手方向に対して所定の角度（α）に傾斜させて取り付けられているので、細かく切断したプラスチック類を隣接する撹拌ブレード２の列に容易に移動させることができる。図示例では、細かく切断したプラスチック類を図示の右から左方向へ移動させるようになる。
【００６８】
各撹拌ブレード２は、図１１の拡大図に示すように、その先端に設けられた先端刃部１１の突出長さが調整可能に設けられている。例えば、撹拌ブレード２に開けた長孔に先端刃部１１をボルト止めする。これにより、処理する廃プラスチック類、残滓類の種類、大きさ、供給量に応じて、細断用カッタ９の刃先部８と撹拌ブレード２の先端（先端刃部１１）との間隔を調節することができる。この先端刃部１１は、摩耗したときは交換することができる。
【基本例２】
【００６９】
［基本例２の切断洗浄装置の全体構成］
図１３は基本例１の切断洗浄装置に残滓類の分離機能を組み合わせた基本例２の切断洗浄装置を示す説明正断面図である。図１４は基本例２の切断洗浄装置の側断面図である。図１５は撹拌ブレードの部分拡大図である。図１６は基本例２の切断洗浄装置の天板を外した状態を示す平面図である。なお、基本例１と同様な構成は同じ符号を用いて詳細な説明を省略する。
基本例２の廃プラスチック類の切断洗浄装置は、廃プラスチック類と残滓類とを分離する機能を有する回転スクリーン５を更に備えた装置である。基本例２の廃プラスチック類の切断洗浄装置は、装置本体１内の円筒部６と連通し、装置本体１内で回転する回転スクリーン５と、この回転スクリーン５内で回転する撹拌ブレード２と、廃プラスチック類と残滓類に洗浄水を散布する洗浄水供給装置の噴射口３とを備えた装置である。
【００７０】
装置本体１は、図１３の説明正断面図に示すように、その一端の上部に、供給口７を設けている。この供給口７から、残滓類が付着した廃プラスチック類が投入される。その装置本体１の他端の下部にプラスチック用排出口１２を設けた。このプラスチック用排出口１２から処理後の廃プラスチック類が分離排出される。なお、供給口７とプラスチック用排出口１２とは、撹拌ブレード２の回転軸４の一端と他端との位置関係を維持するものであれば、必ずしもプラスチック用排出口１２は、装置本体１下部に配置する必要はない。処理後の廃プラスチック類を上方へ排出するときは、装置本体１の上部にプラスチック用排出口１２を設けることができる。
【００７１】
円筒形状の回転スクリーン５内において、回転軸４に取り付けられた撹拌ブレード２が回転するようになっている。この撹拌ブレード２は基本例１の撹拌ブレード２と同じ構成のものである。回転スクリーン５は、図１４の側断面図と図１６の平面図に示すように、円筒形状の金属筒からなり、細断用カッタ９と撹拌ブレード２で細かく切断された廃プラスチック類は通過できない程度の内径を有する複数の排出孔１３を金属筒に開けたスクリーンである。例えば外径が約８００ｍｍ、長さが約１７００ｍｍ程度の大きさである。各排出孔１３は廃プラスチック類から分離した土砂、食物、紙、布又は繊維等の残滓類を容易に通過させることができる程度の内径は必要である。隣接する排出孔１３の間隔は等間隔でも、不均一の何れでもよい。
【００７２】
また、回転スクリーン５に開けた複数の排出孔１３は、金属筒の全面に開ける必要はない。後述する撹拌ブレード２の列が回転する範囲のみでも良い。特に、撹拌ブレード２の回転により、廃プラスチック類に絡みついた土砂、食物、紙、布又は繊維等の残滓類を容易に分離し、この残滓類を回転スクリーン５の排出孔１３から排出させるからである。
【００７３】
回転スクリーン５は、図１３に示すように、金属筒の一端の周囲に設けた回転輪１４を、駆動モータ１５により回転させる。例えばこの駆動モータ１５の先端に設けた回転板１６でこの回転輪１４を回転させ、回転スクリーン５を回転させる。この回転スクリーン５の回転駆動手段はこのような構成に限定されず、回転スクリーン５の金属筒を、チェーン、ベルト、ギヤ等の動力伝達手段を用いることができる。
【００７４】
図１４の側断面図に示すように、装置本体１の下部は広く開放された状態の残滓用排出口２５になっている。この残滓用排出口２５から処理後の残滓類が排出される。これは回転スクリーン５の排出孔１３が広範囲に設けられているからである。
【００７５】
撹拌ブレード２は、装置本体１内において回転駆動される回転軸４に、その周囲に放射状に設けられたものである。撹拌ブレード２は、回転スクリーン５内において回転させ、この回転スクリーン５内に投入された廃プラスチック類から、これに付着している残滓類を分離する機能を有する。このとき、廃プラスチック類は回転スクリーン５の側方のプラスチック用排出口１２へ移動しながらこの残滓類は回転スクリーン５の周囲の複数の排出孔１３から排出される。特に、この切断洗浄装置は、図１４の矢印に示すように、回転スクリーン５は撹拌ブレード２の回転向きと逆に回転させているので、廃プラスチック類に絡みついた残滓類を容易に分離することができる。
【００７６】
各撹拌ブレード２は、図１５の部分拡大図に示すように、その先端に設けられた先端刃部１１の突出長さが調整可能に設けられている。例えば、撹拌ブレード２に開けた長孔に先端刃部１１をボルト止めする。これにより、処理する廃プラスチック類、残滓類の種類、大きさ、供給量に応じて、回転スクリーン５の内壁面と撹拌ブレード２の先端（先端刃部１１）との間隔Ｄ１を調節することができる。この先端刃部１１は、摩耗したときは交換することができる。また撹拌ブレード２が廃プラスチック類、残滓類と接することがない「空回り」を防止し、廃プラスチック類、残滓類との分離、土砂や残滓などの分離除去が不十分になることを防止することができる。
【００７７】
撹拌ブレード２と細断用カッタ９で、細かく切断された廃プラスチック類は、その後、回転スクリーン５内において回転する複数の撹拌ブレード２により、土砂、食物、紙、布又は繊維のような残滓類が付着している廃プラスチック類から残滓類が分離される。
【００７８】
図１３に示す各撹拌ブレード２は、その撹拌ブレード２の先端刃部１１の端縁が回転軸４の長手方向と同一方向になるように取り付けられている。しかし、この基本例２の切断洗浄装置についても、図１２に示したように、撹拌ブレード２の先端刃部１１を、その端縁が回転軸４の周囲に、回転軸４の長手方向に対して所定の角度（α）で傾斜させて取り付けることができる。基本例２の撹拌ブレード２でも、投入された廃プラスチック類から、これに付着している残滓類を分離すると共に、この傾斜させて取り付けられた撹拌ブレード２により廃プラスチック類は回転スクリーン５の側方へ容易に移動させることができる。
【００７９】
回転スクリーン５も回転しているので、排出孔１３を通過した残滓類は、その回転による遠心力で飛散させることができ、回転スクリーン５の目詰まりを防止することができる。洗浄水供給装置の噴射口３から水が散布され、廃プラスチック類が洗浄される。
【００８０】
［インペラ］
回転軸４のプラスチック用排出口１２側に、処理後の切断された廃プラスチック類を掻き出すインペラ１７を設けている。このインペラ１７は、その回転により、回転スクリーン５内を移動してきた廃プラスチック類をプラスチック用排出口１２から容易に排出させる。なお、図示例では、回転軸４に２本構成の状態を示しているが、その構成はこの２本構成に限定されず、例えば４枚構成にすることができる。
【００８１】
なお、本基本発明の切断洗浄装置には、このインペラ１７を必ず設ける必要はない。処理後の廃プラスチック類を吸引排出するエアダクト（図示していない）を設けたときは、このインペラ１７は不要になる。例えば、装置本体１の上部に設けられたプラスチック用排出口１２に、エアダクトを連結する構成にすることができる。
【００８２】
［スクレーパ］
図１７はスクレーパを示し、（ａ）は拡大平面図、（ｂ）は拡大側面図である。
回転スクリーン５の外周面に、排出孔１３の目詰まりを除去するスクレーパ１８を配置する。例えば、このスクレーパ１８は、細長いゴム板１９を支持する板材２０で装置本体１側に、取付金具２１を介して着脱自在に取り付けたものである。ゴム板１９を支持する板材２０には長孔２２を開け、この長孔２２に取付金具２１からボルト・ナットで締結するので、微妙な位置調整が可能になる。
【００８３】
このスクレーパ１８は、回転スクリーン５の排出孔１３が開けられた部分に取り付ける。本基本発明では、スクレーパ１８を回転スクリーン５の外周面に配置するだけで、排出孔１３の目詰まりを除去することができる。回転スクリーン５が文字通り回転しているので、排出孔１３の目詰まりを自動で除去できる。
【００８４】
このように、スクレーパ１８は、回転スクリーン５の回転遠心力だけでは、弾き飛ばせない残滓類を排出孔１３から確実に掻きだすことができる。回転スクリーン５の分離機能の低下を防止できる。
【００８５】
［センサ］
回転スクリーン５の目詰まりについては、図示していないが、センサを用いて自動検知することができる。例えば、光センサを用いて排出孔１３の光の透過率の変化量を測定することで目詰まり度を判断することができる。この光センサはスクレーパ１８のそばに取り付けることが好ましい。
【００８６】
［スクレーパの変形例］
図１８はスクレーパの変形例を示す拡大側面図である。
スクレーパ１８は、１枚のゴム板１９の構成のものに限定されない。図示するように、スクレーパ１８を２段に重ねた構成のものでもよい。このようにすると除去効果が高くなり、目詰まりを確実に防止することができる。また、スクレーパ１８は、ゴム板１９に代えて針金製又はたわし製の何れのものでも用いることができる。
【００８７】
［噴射孔を形成した回転軸］
図１９は洗浄水供給装置の変形例を示す切断洗浄装置を示す説明正断面図である。
この変形例では、回転軸４の内部に給水管２３を内装し、この回転軸４の周面に開けた噴射孔２４から洗浄水を供給し得るように構成した。この洗浄水供給装置の変形例は、洗浄水を廃プラスチック類、残滓類に強く散布することができ、洗浄作用と共に分離作用も高めることができる。
【産業上の利用可能性】
【００８８】
本発明の繊維質の分離回収装置は、プラスチックの再資源化する際に利用できるものであるが、これに限られず、例えば、回収した古紙を再生する製紙工程において発生するパルパー粕（混入した雑多な廃プラスチック）から紙類の繊維質成分を分離してやれば、これまで単に焼却処理されていたパルパー粕から紙繊維を回収することができ紙資源の再生率向上にも資することができる。
【符号の説明】
【００８９】
５０  装置本体部
５１  筺体
５２  投入口
５３  のぞき窓
５４  放出口
５５  台座
５６  排水口
５７  スクリーン駆動用モータ
５９  ブレード駆動用モータ
６０  ドラム式スクリーン
６２  スクリーン穴
６４  突条
７０  撹拌ブレード
７２  回転軸
７４  給水管
７６  噴射孔
７８  先端部
８０  掻落手段
８０ａ  ブラシ
８０ｂ  スクレーパ
８１  軸芯
９０  スプレー手段
９０ａ  噴射ノズル
１００  繊維質の分離回収装置
１１０  散布手段
１２０  破断洗浄機
１３０  比重選別機
１４０  脱水機
１５０  乾燥機
１６０  フレコン回収装置
Ｄ１  間隔
Ｆ  繊維質
Ｐ，Ｐ’  廃プラスチック片
１  装置本体
２  撹拌ブレード
３  噴射口（洗浄水供給装置）
４  回転軸
５  回転スクリーン
６  円筒部
７  供給口
８  刃先部（細断用カッタ）
９  細断用カッタ
１０  調節ネジ
１１  先端刃部（撹拌ブレード）
１２  プラスチック用排出口
１３  排出孔
２３  給水管
２４  噴射孔
２５  残滓用排出口
【図１】
2015107607.tif 000003
【図２】
2015107607.tif 000004
【図３】
2015107607.tif 000005
【図４】
2015107607.tif 000006
【図５】
2015107607.tif 000007
【図６】
2015107607.tif 000008
【図７】
2015107607.tif 000009
【図８】
2015107607.tif 000010
【図９】
2015107607.tif 000011
【図１０】
2015107607.tif 000012
【図１１】
2015107607.tif 000013
【図１２】
2015107607.tif 000014
【図１３】
2015107607.tif 000015
【図１４】
2015107607.tif 000016
【図１５】
2015107607.tif 000017
【図１６】
2015107607.tif 000018
【図１７】
2015107607.tif 000019
【図１８】
2015107607.tif 000020
【図１９】
2015107607.tif 000021